(57)【特許請求の範囲】
【請求項１】
水平偏向回路及び高圧発生回路を共用するように形成されたビューファインダにおいて、
撮像結果のアスペクト比を切り換えるアスペクト比切換回路と、
前記アスペクト比切換回路からの切換信号に基づいて電源電圧を切り換え、フライバックトランスに電源を供給する電源回路と、
前記フライバックトランスの一次巻線と前記電源回路との間に介挿されたインダクターと、
前記フライバックトランスの一次巻線に接続される水平偏向コイルと、
前記アスペクト比切換回路からの切換信号に基づいて前記インダクターの両端を短絡するスイッチ素子とを備え、
前記フライバックトランスの二次巻線に高電圧のフライバックパルスを発生させることを特徴とするビューファインダ。
【請求項２】
前記インダクターと並列にダイオードを介挿したことを特徴とする請求項１記載のビューファインダ。
【発明の詳細な説明】
【０００１】
【発明の属する技術分野】
本発明は、ビューファインダに関し、例えばカメラ一体型ビデオテープレコーダに適用して、フライバックトランスの一次側に直列にインダクターを介挿することにより、簡易な構成で、高圧の変動を有効に回避して、アスペクト比の切り換えに対応できるようにする。
【０００２】
【従来の技術】
従来、カメラ一体型ビデオテープレコーダにおいては、ビューファインダにより撮像結果をモニタできるようになされており、このビューファインダにおいては、本体側のアスペクト比に対応した画角により撮像結果をモニタできるようになされている。
【０００３】
すなわち従来のカメラ一体型ビデオテープレコーダでは、アスペクト比１６：９又は４：３により撮像結果を記録するように形成され、アスペクト比１６：９の撮像結果については、ビューファインダに対していわゆるレターサイズ（すなわち４：３の画角によりそのままモニタした場合に水平方向が圧縮されて表示される画像でなる）に変換したビデオ信号を出力する。またカメラ一体型ビデオテープレコーダでは、このビデオ信号と共に、アスペクト比を指示する制御信号をビューファインダに出力する。
【０００４】
これにより従来のビューファインダは、この制御信号の信号レベルを検出して、アスペクト比１６：９の撮像結果については、垂直偏向回路に供給する電源電圧を低減してアスペクト比４：３の場合に比して垂直偏向角を低減し、これによりアスペクト比１６：９の撮像結果を表示するようになされていた。
【０００５】
【発明が解決しようとする課題】
ところでこのようにアスペクト比１６：９の撮像結果について、垂直偏向角を低減して撮像結果を表示する場合、カメラマンにおいて、アスペクト比４：３の撮像結果を表示する場合に比して撮像結果を確認しずらい欠点がある。
【０００６】
この場合、ビューファインダにおいて、アスペクト比１６：９の陰極線管を使用して撮像結果を表示することにより、この種の欠点を解消することができる。またアスペクト比１６：９の陰極線管を使用する場合、水平偏向角を低減することにより、アスペクト比４：３のビデオ信号にも対応することができ、カメラマンにおいては、アスペクト比１６：９及び４：３の双方について、撮像結果を確実に認識することができる。
【０００７】
この場合水平偏向回路に供給する電源電圧を低減して、簡易に水平偏向角を低減することができる。ところが水平偏向回路と高圧発生回路とを共用しているビューファインダにおいては、このように電源電圧を低減すると、その分高圧も低下する問題があり、十分な輝度レベルで撮像結果を表示できなくなる問題がある。
【０００８】
この問題を解決する１つの方法として、この種のビューファインダに適用されている高圧制御回路により、この種の高圧の変化を補正することが考えられる。ところがアスペクト比の切り換えに対応するような電源電圧の大きな変化に対しては、この種の高圧制御回路では対応することが困難になる。
【０００９】
すなわちこの種のビューファインダにおいては、所定範囲内で十分な輝度レベル或いはフォーカスレベルを確保するために、高圧制御回路により高圧を安定させるようになされており、この高圧制御回路は、フライバックトランスより出力される高圧又は低圧二次巻線出力に応じて、一次側、タイミングコンデンサーの容量を可変することにより、フィードバックループを形成してフライバックトランスの二次側出力を一定電圧に保持する。
【００１０】
これに対してフライバックトランス、偏向ヨークにおいては、分布容量を避け得ず、高圧制御回路において、タイミングコンデンサーの容量を可変して電源電圧の低下分を補正しようとしても、これらの分布容量により完全には補正することが困難で、結局、高圧が低下し、また高圧制御回路の動作が不安定になる。
【００１１】
これに対してフライバックトランスの一次巻線にタップを形成し、電源電圧の切り換えに連動してこのタップを切り換える方法も考えられるが、この場合リンギングの発生、消費電力の増大等、副次的な問題が発生する。
【００１２】
本発明は以上の点を考慮してなされたもので、水平偏向回路と高圧発生回路とを共用する簡易な構成において、高圧の変動を有効に回避して、アスペクト比の切り換えに対応することができるビューファインダを提案しようとするものである。
【００１３】
【課題を解決するための手段】
かかる課題を解決するため本発明においては、水平偏向回路及び高圧発生回路を共用するように形成されたビューファインダにおいて、撮像結果のアスペクト比を切り換えるアスペクト比切換回路と、前記アスペクト比切換回路からの切換信号に基づいて電源電圧を切り換え、フライバックトランスに電源を供給する電源回路と、前記フライバックトランスの一次巻線と前記電源回路との間に介挿されたインダクターと、前記フライバックトランスの一次巻線に接続される水平偏向コイルと、前記アスペクト比切換回路からの切換信号に基づいて前記インダクターの両端を短絡するスイッチ素子とを備え、前記フライバックトランスの二次巻線に高電圧のフライバックパルスを発生させる。
【００１４】
またこのときこのインダクターと並列にダイオードを介挿する。
【００１６】
これらの手段により、フライバックトランスの一次巻線と電源回路との間にインダクターを介挿し、このインダクターをスイッチ素子により短絡すれば、フライバックパルスのパルス幅を低減して、その分波高値を増大させることができる。従って電源電圧の切り換えと連動して、水平偏向角を低減して低下した高圧を補うことができる。
【００１７】
またこのとき、このインダクターと並列にダイオードを介挿して、このダイオードがダンパダイオードとして動作し、偏向電流のリンギングが有効に回避される。
【００１９】
【発明の実施の形態】
以下、適宜図面を参照しながら本発明の実施の形態を詳述する。
【００２０】
（１）第１の実施の形態
図１は、本発明の第１の実施の形態に係るビューファインダを示すブロック図である。このビューファインダ１は、カメラ一体型ビデオテープレコーダ本体に接続されて、このカメラ一体型ビデオテープレコーダ本体により出力されるビデオ信号を表示する。このときビューファインダ１は、カメラ一体型ビデオテープレコーダ本体よりビデオ信号と共に出力される制御信号に基づいて、表示画面のアスペクト比を切り換える。
【００２１】
すなわちビューファインダ１において、電源回路２は、フライバックトランス３の一次巻線に電源を供給する。このとき電源回路２は、切り換え信号Ｓ１に応動して電源電圧を切り換え、４：３のアスペクト比により表示画像を形成する場合、１６：９のアスペクト比により表示画像を形成する場合に比して、電源電圧を３／４に低減する。
【００２２】
フライバックトランス３は、一次巻線の一端に電源電圧を入力し、この一次巻線の他端を、コンデンサ４、水平偏向コイルＨを順次介して接地する。さらにフライバックトランス３は、この他端を、Ｎ型ＭＯＳ  ＦＥＴ５を介して接地し、このＮ型ＭＯＳ  ＦＥＴ５は、水平同期信号ＨＤによりオンオフ動作する。さらにフライバックトランス３は、この一次巻線の他端を、高圧巻線の低圧側に接続し、この高圧巻線の中間タップにダンパダイオード６を接続する。これによりビューファインダ１では、水平偏向回路と高圧発生回路とを共用して形成するようになされ、Ｎ型ＭＯＳ  ＦＥＴ５のオンオフ動作に応動してフライバックトランス３の一次巻線にフライバックパルスを誘起するように形成され、またこれに応動して水平偏向コイルＨに偏向電流を供給するようになされている。
【００２３】
すなわちフライバックトランス３は、一体に保持された整流回路７に高圧巻線の高圧側を接続し、この高圧巻線に誘起される高電圧のフライバックパルスを整流する。これによりフライバックトランス３は、高圧ＨＶを生成して陰極線管に出力する。さらにフライバックトランス３は、低圧二次巻線については、一端を接地すると共に、他端の出力電圧をダイオードにより整流し、各種駆動電圧を生成して出力する。このうちフライバックトランス３は、陰極線管のＧ２電極について、出力電圧をダイオード８により整流した後、Ｇ２電極に供給すると共に、高圧制御回路１０に供給する。
【００２４】
ここで高圧制御回路１０は、このＧ２電極電圧を分圧回路により分圧した後、所定の基準電圧と比較する。さらにこの比較結果に基づいて、水平同期信号ＨＤに同期したタイミングによりＮ型ＭＯＳ  ＦＥＴ１１をオンオフ制御する。ここでこのＮ型ＭＯＳ  ＦＥＴ１１は、ドレインを接地すると共に、タイミングコンデンサー１２を介して、ソースをフライバックトランス３の他端に接続する。高圧制御回路１０は、このＮ型ＭＯＳ  ＦＥＴ１１のオンオフ制御において、比較結果が０レベルに収束するように、Ｎ型ＭＯＳ  ＦＥＴ１１のオン期間を制御する。
【００２５】
これにより高圧制御回路１０は、フライバックトランス３の二次側巻線出力に基づいてタイミングコンデンサー１２の通電角を切り換え制御し、高圧ＨＶが一定電圧に維持されるように、等化的にタイミングコンデンサー１２の容量を可変する。
【００２６】
この基本的な水平偏向回路及び高圧発生回路の構成に加えて、この実施の形態では、フライバックトランス３の一次側巻線と電源回路２との間にインダクター１６を介挿する。このインダクター１６は、Ｐ型ＭＯＳ  ＦＥＴ１８のアノード及びゲートを並列に接続し、このＰ型ＭＯＳ  ＦＥＴ１８は、ソース及びゲートを抵抗１９により接続する。またこのＰ型ＭＯＳ  ＦＥＴ１８は、ゲート電圧に応動してオンオフ動作し、インダクター１６の両端を短絡するスイッチ素子を形成する。
【００２７】
アスペクト比切換回路２０は、カメラ一体型ビデオテープレコーダ本体より出力される制御信号に応動して、電源回路２に切り換え信号Ｓ１を送出し、４：３のアスペクト比により表示画像を形成する場合、１６：９のアスペクト比により表示画像を形成する場合に比して、電圧回路２より出力される電源電圧を３／４に低減する。さらにアスペクト比切換回路２０は、抵抗２１を介してＰ型ＭＯＳＦＥＴ１８をオンオフ制御し、４：３のアスペクト比により表示画像を形成する場合、インダクター１６の両端を短絡する。
【００２８】
すなわち図２に示すように、このインダクター１６の両端を短絡しない状態で、電源電圧を３／４に立ち下げると、フライバックパルスＦＰのパルス幅ｔｒは何ら変化せずに、フライバックパルスＦＰの波高値ＰＬが電源電圧分低下し（図２（Ａ）及び（Ｂ））、水平偏向コイルＨに流れる偏向電流においては、３／４に低下する。従ってこの場合、波高値ＰＬが低下した分、フライバックトランスの二次側巻線出力が低下することになる。なおこの場合、タイミングコンデンサ１２の通電角は、一定に保持されていると仮定する。
【００２９】
この場合に、インダクター１６の両端を短絡すれば（図２（Ｃ））、その分フライバックトランスの一次巻線に印加される電源電圧を立ち上げることができ、その分フライバックトランス３の巻線比を見かけ上、増大させることができる。すなわちこの場合、インダクター１６の分、フライバックパルスＦＰのパルス幅ｔｆが低減し、その分波高値ＰＬが増大することになる。
【００３０】
ここでフライバックトランス３のインダクターに対して、インダクター１６のインダクタンスを３〜１０〔％〕の範囲に設定すれば、このインダクター１６の両端を短絡することによるタイミングコンデンサ１２の流通角の変化を、流通角が最大に設定された場合の約０．９／１００００〜１／１００程度に維持することができる。これにより電源電圧を可変し、併せてインダクター１６の両端を短絡した場合でも、高圧制御回路１０により制御可能な範囲に高圧ＨＶを維持することができる。すなわちアスペクト比を可変しても高圧変動を有効に回避することができる。
【００３１】
ところでアスペクト比１６：９の表示画像を形成する場合、このようにインダクター１６を介挿した状態で、Ｎ型ＭＯＳ ＦＥＴ５をオフ状態に切り換えると、このインダクター１６の両端にフライバックパルスが発生する。このためこのインダクター１６は、アノードを電源回路２側に接続するダイオード２５を並列に接続し、このダイオード２５によりダンパを形成し、偏向電流のリンギングを有効に回避する。
【００３２】
以上の構成において、アスペクト比１６：９の表示画像を形成する場合、インダクター１６及びフライバックトランス３の一次巻線の直列回路に、電源回路２より電源が供給され、水平同期信号ＨＤによりオンオフ動作するＮ型ＭＯＳ  ＦＥＴ５により、この直列回路の他端が接地される。またこの他端が、フライバックトランス３の二次巻線を介して中間タップによりダンパダイオード６に接続され、さらにコンデンサ４を介して水平偏向コイルＨに接続され、これによりＮ型ＭＯＳ  ＦＥＴ５のオンオフ動作に応動してインダクター１６及びフライバックトランス３の一次巻線にフライバックパルスが誘起され、また水平偏向コイルＨに水平偏向電流が供給される。
【００３３】
これに応動してフライバックトランス３の二次巻線出力が整流されて高圧ＨＶ、Ｇ２電極電圧等が生成され、陰極線管に供給される。このときＧ２電極電圧が、高圧制御回路１０により検出され、このＧ２電極電圧が一定電圧に維持されるように、タイミングコンデンサ１２の通電角が制御され、これにより高圧ＨＶが一定電圧に保持される。
【００３４】
またこのときＮ型ＭＯＳ  ＦＥＴ５がオフ状態に切り換わるとインダクター１６に発生するフライバックパルスが、並列に接続したダイオード２５により除去され、これにより水平偏向電流のリンギングが有効に回避される。
【００３５】
これに対してアスペクト比４：３の表示画像を形成する場合、アスペクト比切換回路２０により電源回路２から出力される電源電圧が３／４に立ち下げられ、これにより水平偏向電流がアスペクト比の変化に対応して低減する。
【００３６】
同時に、Ｐ型ＭＯＳ  ＦＥＴ１８がアスペクト比切換回路２０によりオン状態に切り換えられ、これによりインダクター１６の両端が短絡される。これによりフライバックトランス３の一次巻線側端子電圧が増大し、電源電圧の低下により低下したフライバックパルスの波高値が、ほぼアスペクト比１６：９の表示画像を形成する場合と同一に維持される。
【００３７】
以上の構成によれば、フライバックトランス３の一次巻線と直列にインダクター１６を介挿し、アスペクト比の切り換えに応動して電源電圧を切り換えると共に、このインダクター１６の両端を短絡したことにより、高圧の変動を有効に回避して、アスペクト比の切り換えに対応することができる。
【００３８】
（２）第２の実施の形態
図３は、この第２の実施の形態に係るビューファインダを示すブロック図である。このビューファインダ３０は、フライバックトランス３の一次巻線側に代えて、水平偏向コイルＨと直列にインダクター３１を接続し、また電源回路３２により電源を供給してアスペクト比を切り換える場合でもフライバックトランス３に一定電圧を供給する。なおこの図３に示す構成のうち、図１について上述した構成と共通する構成は、対応する符号を付して示し、重複した説明は、省略する。
【００３９】
すなわちインダクター３１は、コアの挿入量を可変できるように形成された空心ボビンに巻線して、インダクタンスを可変できるように形成され、一端を接地し、他端を水平偏向コイルＨの低圧側に接続する。さらにインダクター３１は、ソースをコモン接続したＮ型ＭＯＳ ＦＥＴ３３とＦＥＴ３４（又はＰ型ＭＯＳ  ＦＥＴ３３とＦＥＴ３４）のドレインをそれぞれ両端に接続する。このＮ型ＭＯＳ ＦＥＴ３３及び３４は、ゲート及びソースを抵抗３５により接続する。これによりＮ型ＭＯＳ ＦＥＴ３３及び３４は、ゲート電圧に応じてインダクター３１の両端を短絡状態に切り換えるスイッチ回路を形成する。
【００４０】
アスペクト比切換回路３８は、カメラ一体型ビデオテープレコーダ本体より出力される制御信号に応動して切り換え信号の信号レベルを切り換え、抵抗３６を介してこの切り換え信号をＮ型ＭＯＳ  ＦＥＴ３３及び３４のゲートに供給する。すなわちアスペクト比切換回路３８は、アスペクト比１６：９により表示画像を形成する場合、ゲート電圧を立ち上げてインダクター３１の両端を短絡するのに対し、アスペクト比４：３により表示画像を形成する場合、ゲート電圧を立ち下げてインダクター３１の両端を開放する。
【００４１】
これにより水平偏向コイルＨにおいては、アスペクト比４：３により表示画像を形成する場合、インダクター３１を介挿した分偏向電流が低減し、アスペクト比の切り換えに対応することができる。かくするにつき、この実施の形態において、このインダクター３１の両端を短絡するスイッチ回路を、パワーＭＯＳ  ＦＥＴでなるＮ型ＭＯＳ  ＦＥＴ３３及び３４により形成し、これにより水平偏向電流のような交流電流をオンオフ制御する場合でも、確実にオンオフ制御できるようになされている。
【００４２】
これに対して高圧ＨＶにおいては、フライバックトランス３の電源電圧が一定電圧に保持されており、インダクター３１の両端を短絡してもフライバックパルスの波高値がほとんど変化しないことにより、電圧変動を有効に回避することができる。
【００４３】
図３に示す構成によれば、水平偏向コイルＨと直列にインダクター３１を接続し、アスペクト比に対応してこのインダクターの両端を短絡しても、第１の実施の形態と同様の効果を得ることができる。
【００４４】
なお上述の実施の形態においては、カメラ一体型ビデオテープレコーダ本体より出力される制御信号に応動してアスペクト比を切り換える場合について述べたが、本発明はこれに限らず、スイッチの操作により切り換える場合等に広く適用することができる。
【００４５】
【発明の効果】
上述のように本発明によれば、フライバックトランスの一次巻線と電源回路との間にインダクターを介挿し、このインダクターをスイッチ素子により短絡することにより、またこれに代えて水平偏向コイルとインダクターを直列接続し、このインダクターの両端をスイッチ回路により短絡することにより、水平偏向回路と高圧発生回路とを共用する簡易な構成のビューファインダにおいて、高圧の変動を有効に回避して、アスペクト比の切り換えに対応することができる。
【図面の簡単な説明】
【図１】本発明の第１の実施の形態におけるビューファインダを示すブロック図である。
【図２】図１のビューファインダの動作の説明に供する信号波形図である。
【図３】本発明の第２の実施の形態におけるビューファインダを示すブロック図である。
【符号の説明】
１、３０                        ビューファインダ
２、３２                        電源回路
３                              フライバックトランス
５、１１、１８、３３、３４      ＦＥＴ
６、９、２５                    ダイオード
１０                            高圧制御回路
１６、３１                      インダクター
２０、３８                      アスペクト比切換回路
【図１】
0003677846.tif 000002
【図２】
0003677846.tif 000003
【図３】
0003677846.tif 000004